(57)【要約】【課題】デジタルカメラ内で行われる画像処理の処理内容、処理レベルの変更が、ユーザ側にとってもメーカー側にとっても容易な画像補正コンピュータプログラム及び画像再生装置を提供する。【解決手段】デジタルカメラで撮影されてタグ情報に画像処理内容を記録し、メモリカードに記録された画像データをパソコンに取り込んでパソコンからウエブサーバに自動アクセスし、ウエブサーバから画像処理特性情報の該当評価値を取り込んでその評価値に基づいて画像補正処理をし、画像補正処理した画像をプリンタで印刷する。【選択図】図７
2004120541.tif 000002
【特許請求の範囲】
【請求項１】
デジタルカメラの画像データファイル中に付属情報として記録された画像処理の内容に対する詳細な評価値を示したコンピュータプログラム。
【請求項２】
デジタルカメラで撮影された画像を画像再生装置で表示又は印刷する際に、当該画像の画像データファイルの付属情報からデジタルカメラ内で行われた画像処理の内容を得て、前記画像処理の内容についての詳細な評価値を示したコンピュータプログラムから前記画像処理の内容に対応する詳細なレベルを得て当該詳細なレベルを基に前記撮影された画像を自動的に画像補正するコンピュータプログラム。
【請求項３】
デジタルカメラで撮影された画像の画像データファイルの付属情報からデジタルカメラ上で行われた画像処理の内容を得ると共に前記画像処理の内容についての詳細な評価値を示したコンピュータプログラムから前記画像処理の内容に対応する詳細なレベルを得て当該詳細なレベルを基に前記撮影された画像を自動的に画像補正して補正された画像を出力する画像再生装置。
【請求項４】
デジタルカメラで撮影された画像を画像再生装置で表示又は印刷する際に、当該画像の画像データファイルの付属情報からデジタルカメラで撮影された画像の画像処理内容についての詳細な評価値を示すコンピュータプログラムの情報を得て当該コンピュータプログラムから画像処理内容の詳細なレベルを得て当該詳細なレベルを基に前記撮影された画像を自動的に画像補正するコンピュータプログラム。
【請求項５】
デジタルカメラで撮影された画像の画像データファイルの付属情報からデジタルカメラで撮影された画像の画像処理内容についての詳細な評価値を示すコンピュータプログラムの情報を得ると共に当該コンピュータプログラムから画像処理内容の詳細なレベルを得て当該詳細なレベルを基に前記撮影された画像を自動的に画像補正して補正された画像を出力する画像再生装置。
【発明の詳細な説明】
【０００１】
【発明の属する技術分野】
本発明は、画像補正コンピュータプログラム及びデジタルカメラで撮影された画像をモニタやプリンタ上で再生する画像再生装置に関する。
【０００２】
【従来の技術】
デジタルカメラ内では、コントラスト、シャープネス、彩度補正等の画像処理を行っている。これらのデジタルカメラの画像処理の処理内容、特に処理レベルをメーカーやユーザが変更したい場合がある。例えば、デジタルカメラ内でのシャープネスのメーカーが設定した処理レベルをユーザの声により変更したい場合である。このようなデジタルカメラ内の画像処理の処理内容・レベルを変更する場合、通常はデジタルカメラのファームウエアを書き換え、該当画像処理部分のプログラムを変更することにより実現している。
【０００３】
この方法以外に、デジタルカメラ内の画像処理の処理内容・レベルを変更する場合としては、特許文献１に開示されているように、専用の画像処理を行うアタッチメントを装着してデジタルカメラの機能を拡張する方法がある。
【０００４】
また、特許文献２に開示されているように、デジタルカメラの画像処理を行うユニットを交換することで機能を変更する方法もある。しかし、これらの方法は、いずれもデジタルカメラ本体に操作／改造を加えるものであるため、簡単には行うことができない。
【０００５】
一方、市販されている様々な画像処理ソフトウエアを用いて、デジタルカメラ上で行われる画像処理と同様の処理をパソコン上で行うことは可能であり、また特許文献３で開示されているように画像処理のための補正パラメータの受け渡しの方法も提案されている。
【０００６】
しかし、これらの方法は、ユーザの意図に沿った画像処理を行うのには適しているが、デジタルカメラメーカーの意図に沿うような画像処理を行わせることはできない。
【０００７】
また、特許文献３で開示されている内容の一つのパターンとして、補正パラメータをデジタルカメラから直接送信する方法を用いるとデジタルカメラメーカーの意図した画像処理を行うことが可能であるが、この場合はデジタルカメラから特定の補正情報を送信するようにデジタルカメラ自体に改造を加えることとなり、ユーザにとって簡便性は失われる。
【０００８】
【特許文献１】
特開２００１−１２８１１８
【０００９】
【特許文献２】
特開２００１−２８５６８７
【００１０】
【特許文献３】
特開２００１−５７６５０
【００１１】
【発明が解決しようとする課題】
本発明は、上記の事情を考慮して、デジタルカメラ内で行われる画像処理の処理内容、処理レベルの変更が、ユーザ側にとってもメーカー側にとっても容易な画像補正コンピュータプログラム及び画像再生装置を提供することを目的とする。
【００１２】
【課題を解決するための手段】
請求項１の本発明は、デジタルカメラの画像データファイル中に付属情報として記録された画像処理の内容に対する詳細な評価値を示したコンピュータプログラム、からなる。
【００１３】
請求項１の本発明によれば、デジタルカメラの画像データファイル中に付属情報として記録された画像処理の内容に対する詳細な評価値を示したコンピュータプログラムがＣＤ−ＲＯＭなどの記録媒体やインターネット回線のウエブ上から提供可能となる。
【００１４】
請求項２の本発明は、デジタルカメラで撮影された画像を画像再生装置で表示又は印刷する際に、当該画像の画像データファイルの付属情報からデジタルカメラ内で行われた画像処理の内容を得て、前記画像処理の内容についての詳細な評価値を示したコンピュータプログラムから前記画像処理の内容に対応する詳細なレベルを得て当該詳細なレベルを基に前記撮影された画像を自動的に画像補正するコンピュータプログラム、からなる。
【００１５】
請求項２の本発明によれば、例えば、デジタルカメラメーカーがデジタルカメラ内で行われた画像処理の内容を変更したい場合に、デジタルカメラ自体には変更を加えず、前記画像処理の内容に対応するコンピュータプログラムの評価値のレベルに変更を加えることにより、当該レベルを基にユーザが画像再生する際に自動的に画像補正処理を行うことができる。変更を加えられたコンピュータプログラムはウエブ上で配信することも可能であるし、記録媒体に格納して配布することも可能である。
【００１６】
請求項３の本発明は、デジタルカメラで撮影された画像の画像データファイルの付属情報からデジタルカメラ上で行われた画像処理の内容を得ると共に前記画像処理の内容についての詳細な評価値を示したコンピュータプログラムから前記画像処理の内容に対応する詳細なレベルを得て当該詳細なレベルを基に前記撮影された画像を自動的に画像補正して補正された画像を出力する画像再生装置、からなる。
【００１７】
請求項３の本発明によれば、例えば、デジタルカメラメーカーがデジタルカメラ内で行われた画像処理の内容を変更したい場合に、デジタルカメラ自体には変更を加えず、前記画像処理の内容に対応するコンピュータプログラムの評価値のレベルに変更を加えることにより、当該レベルを基にユーザが画像再生する際に画像再生装置において自動的に画像補正処理を行うことができる。変更を加えられたコンピュータプログラムはウエブ上で配信することも可能であるし、記録媒体に格納して配布することも可能であり、これらのコンピュータプログラムを画像再生装置に格納させ又は読み出して画像補正処理をする。
【００１８】
請求項４の本発明は、デジタルカメラで撮影された画像を画像再生装置で表示又は印刷する際に、当該画像の画像データファイルの付属情報からデジタルカメラで撮影された画像の画像処理内容についての詳細な評価値を示すコンピュータプログラムの情報を得て当該コンピュータプログラムから画像処理内容の詳細なレベルを得て当該詳細なレベルを基に前記撮影された画像を自動的に画像補正するコンピュータプログラム、からなる。
【００１９】
請求項４の本発明によれば、デジタルカメラで撮影された画像を画像再生装置で表示又は印刷する際に、デジタルカメラで撮影された画像の画像データファイルの付属情報からデジタルカメラで撮影された画像の画像処理内容についての詳細な評価値を示すコンピュータプログラムの情報が得られ、当該コンピュータプログラムから画像処理内容の詳細なレベルが得られて当該詳細なレベルを基に前記撮影された画像が自動的に画像補正される。コンピュータプログラムはウエブ上で配信することも可能であるし、記録媒体に格納して配布することも可能である。
【００２０】
請求項５の本発明は、デジタルカメラで撮影された画像の画像データファイルの付属情報からデジタルカメラで撮影された画像の画像処理内容についての詳細な評価値を示すコンピュータプログラムの情報を得ると共に当該コンピュータプログラムから画像処理内容の詳細なレベルを得て当該詳細なレベルを基に前記撮影された画像を自動的に画像補正して補正された画像を出力する画像再生装置、からなる。
【００２１】
請求項５の本発明によれば、デジタルカメラで撮影された画像の画像データファイルの付属情報からデジタルカメラで撮影された画像の画像処理内容についての詳細な評価値を示すコンピュータプログラムの情報が得られ、当該コンピュータプログラムから画像処理内容の詳細なレベルが得られて当該詳細なレベルを基に前記撮影された画像が自動的に画像補正され、画像補正された画像が画像再生装置で出力される。コンピュータプログラムはウエブ上で配信することも可能であるし、記録媒体に格納して配布することも可能であり、これらのコンピュータプログラムを画像再生装置に格納させ又は読み出して画像補正処理をする。
【００２２】
【発明の実施の形態】
以下、添付図面に従って、本発明に係る画像補正コンピュータプログラム及び画像再生装置の実施の形態を説明する。本実施の形態では、デジタルカメラで撮影されてメモリカードに記録された画像データをパソコンに取り込んでウエブサーバから画像補正リストの該当評価値を取り込んでその評価値に基づいて画像補正処理をし、画像補正処理した画像をプリンタで印刷するシステムにおいて、デジタルカメラメーカーがシャープネスを元のデジタルカメラの処理のものよりもやや強調しようとした場合の例で説明する。
【００２３】
図１は、デジタルカメラ２、パソコン９０、プリンタ２０、サーバ１００の接続状態を示した図である。デジタルカメラ２とパソコン９０とはＵＳＢケーブルを介して接続されており、デジタルカメラで撮影した画像データをパソコン９０が取り込むことができるようになっている。パソコン９０はインターネット回線６０を介してウエブサーバ１００に接続されている。ウエブサーバ１００から画像補正リストがインターネット回線６０を介して配信され、パソコン９０に該当評価値を取り込むことができるようになっている。パソコン９０とプリンタ２０とは接続されており、パソコン９０で画像補正処理した画像をプリンタ２０に送り込んでプリンタ２０で印刷できるようになっている。
【００２４】
デジタルカメラ２の構成を説明する。図２は、デジタルカメラ２の構成を示したブロック図である。
【００２５】
デジタルカメラ２は、撮像部４、画像処理部６、撮影モード設定部８、表示部１０、ＣＰＵ１２、メモリバッファ１４、カードＩ／Ｆ（インターフェース）１６からなる。
【００２６】
撮像部４は、撮影レンズ、絞り、ＣＣＤイメージセンサ、アナログ処理回路、Ａ／Ｄ変換器などからなる。
【００２７】
画像処理部６は、輝度・色差信号生成回路、ガンマ補正回路、シャープネス補正回路、コントラスト補正回路、ホワイトバランス補正回路、圧縮伸張回路などからなる。
【００２８】
撮影モード設定部８は、各種撮影モードを自動設定にしたりマニュアル設定にしたり設定値を変更したりすることができるところである。具体的には、露出設定、露出補正、露出時間、ホワイトバランスを自動設定にしたりマニュアル設定にしたりすることができる。また、シャープネス、彩度強調、コントラスト、撮影シーン種別などの項目を強、標準、弱の３段階に設定することができる。
【００２９】
表示部１０は、ＬＣＤからなる。
【００３０】
ＣＰＵ１２は、デジタルカメラ２を統括制御する制御部である。ＣＰＵ１２は、パワー電源、撮影モード設定部８、その他の操作部から受け入れする入力信号に基づいて、対応する回路の動作を制御し、表示部１０における表示の制御、ストロボ発光制御、オートフォーカス（ＡＦ）制御、自動露出（ＡＥ）制御等を行う。ＣＰＵ１２は、ＣＣＤを介して入力された画像データに基づいて焦点評価演算やＡＥ演算などの各種演算を行い、その演算結果に基づいてレンズ駆動部を制御して撮影レンズを合焦位置に移動させる一方、アイリス駆動部を制御して絞りを適正絞り値に設定すると共にＣＣＤの電荷蓄積時間を制御する。
【００３１】
メモリバッファ１４は、カメラ設定条件に関する過去の設定値を記憶していると共にＣＰＵ１２が各種の演算処理等を行う作業用領域を有する。画像データは、圧縮された状態でカードＩ／Ｆ１６を介してメモリカード１８に記録される。本形態では、画像データを記録する手段としてメモリカードを適用したが、記録メディアの形態はこれに限らず、ＰＣカード、コンパクトフラッシュ、磁気ディスク、光ディスク、光磁気ディスク、メモリスティックなどでもよい。なお、カメラ設定条件に関する過去の設定値は、デジタルカメラ２内に不揮発メモリを配設してこの不揮発メモリ内に格納してもよい。
【００３２】
ＣＰＵ１２にはＵＳＢコントロール１７が接続されており、ＵＳＢコントロール１７にはＵＳＢジャック１９が接続されている。ＣＰＵ１２の制御により、メモリカード１８に記録された画像データがＵＳＢジャック１９から外部機器に転送可能になっている。
【００３３】
パソコン９０の構成を説明する。図３は、パソコン９０の構成を示したブロック図である。
【００３４】
パソコン９０の情報送受信部には、情報を無線又は有線により送受信するために所定の形式にデータを変換する送受信手段５７（送信手段、受信手段、取得手段、及び画像取得手段の機能を含む）と、インターネット回線６０を介して他の通信機器と情報の送受信を行うためのインターネット回線用の送受信手段６５とが設けられている。送受信手段５７にはＵＳＢなどのインターフェースと接続可能な通信コネクタ５９が接続している。
【００３５】
パソコン９０には、必要に応じて画像や文字等の情報を表示する表示手段６８と、ＣＰＵ８０の指令に基づいて表示手段６８に対して表示用の画像信号を出力する表示制御手段６９と、利用者が入力手段７４を介して入力した各種情報を読み取って後述するＣＰＵ８０に伝達したり、ＣＰＵ８０からの指示に基づいてＬＥＤ等の通知手段に表示指令を出力するＩ／Ｏ７５とが設けられている。
【００３６】
パソコン９０には、撮像した画像等を記録する記録媒体７７を着脱可能に装着する記録媒体装着部７８と、記録媒体７７に対して画像データ等の情報を記録したり読み出したりする記録媒体インターフェース７９とが設けられている。なお、記録媒体７７は、メモリーカード等の半導体やＭＯに代表される磁気記録式、光記録式、又はビデオテープ等に代表される着脱可能な記録媒体である。
【００３７】
パソコン９０には、パソコン９０の全体の制御を行う情報処理手段であるＣＰＵ８０と、ＣＰＵ８０を動作させるプログラムや各種定数が記録されているＲＯＭやＣＰＵ８０が処理を実行する際の作業領域となるＲＡＭから構成されるメモリ８１と、パソコン９０の処理に関する各種定数やネットワーク上の通信機器に通信接続する際の属性情報、アドレス等の接続情報等の情報を記録するハードディスク８６とが設けられている。パソコン９０内のＣＰＵ８０と、表示制御手段６９、Ｉ／Ｏ７５、メモリ８１、ハードディスク８６を含む各周辺回路はバス６２で接続されており、ＣＰＵ８０は各々の周辺回路を制御することが可能となっている。
【００３８】
プリンタ２０の構成を説明する。図４は、プリンタ２０の構成を示したブロック図である。
【００３９】
パソコン９０の送受信手段５７から画像データが送信されて通信コネクタ５９からＵＳＢ、ＳＣＳＩなどの通信ケーブルを介して当該画像データはプリンタケーブルインターフェース２２に送られる。画像データは、プリンタケーブルインターフェース２２からメモリバッファ２６に送られ、メモリバッファ２６に一旦保存される。メモリバッファ２６に保存された画像データは再生部２８に送られ、格納される。再生部２８に格納された画像データは、画像判定部３０で画像解析され、その解析結果に基づいて濃度処理部３２において濃度処理され、エッジ強調処理部３４においてエッジ強調処理され、ＷＢ（ホワイトバランス）補正処理部３６においてホワイトバランス補正がされる。これらの処理は、ＣＰＵ２４からのコマンドに従ってされる。
【００４０】
撮影画像を表示出力する場合、上記濃度処理等の処理がされた画像データが再生部２８で伸長された後、アナログ信号に変換され、プリントエンジン３８から出力されてプリントされる。
【００４１】
ＣＰＵ２４は、プリンタ２０を統括制御する制御部である。ＣＰＵ２４は、電源スイッチ、その他の操作部から受入する入力信号に基づいて、対応する回路の動作を制御し、再生部２８、濃度処理部３２、エッジ強調処理部３４、ＷＢ補正処理部３６の制御等を行う。
【００４２】
本実施の形態の作用を説明する。
【００４３】
図５は、本実施の形態における画像ファイルの記録フォーマットを示した図である。
【００４４】
画像ファイルは、画像付属情報、サムネイル画像、主画像より構成される。画像付属情報はタグ形式で記録され、撮影日時情報や撮影モード情報、ホワイトバランス情報、フォーカス情報、ストロボ情報などの撮影条件に関する情報、コントラスト処理情報、彩度処理情報、シャープネス処理情報などのデジタルカメラ内で実行される画像処理に関する情報、デジタルカメラの機種名についての情報が記録されている。
【００４５】
画像処理に関する情報については、デジタルカメラでの設定が強、標準、弱の３段階のモードを設定することができ、各モードに対応して「３」（強）、「２」（標準）、「１」（弱）のように記録される。
【００４６】
図６は、本実施の形態における画像処理に関する特性情報の評価結果表を示した図である。この画像処理特性情報がウエブサーバ１００で提供され、インターネット回線６０を介して配信されている。デジタルカメラの各機種の画像処理に関する情報についての強、標準、弱の各モード毎の評価値が詳細な数値データとしてリストされている。図５の記録画像の例では、コントラスト：２、サチュレイション（彩度）：２、シャープネス：３と記録されているが、本例におけるデジタルカメラが機種２であった場合、コントラストの２（標準）の評価値は４、彩度の２（標準）の評価値は５、シャープネスの３（強）の評価値は１０になっているので、本記録画像のコントラスト、彩度、シャープネスはそれぞれ４、５、１０となる。なお、図６では、対応する画像処理モードを持たない機種に関しては該当する欄は空欄となっている。
【００４７】
図７は、ウエブサーバ１００から画像補正リストが配信され、その画像補正リストの該当評価値に基づいて画像補正処理をし、画像補正処理した画像をプリンタで印刷する流れを示したフローチャートである。
【００４８】
まず、デジタルカメラ２で撮影し、記録した画像の画像データをパソコン９０にＵＳＢケーブルを介して送信する。パソコン９０は、デジタルカメラ２から送信されてパソコン９０のメモリ８１又はハードディスク８６に格納された画像データのファイルを開く（ステップ１１０）。
【００４９】
パソコン９０は、画像データファイルの画像付属情報を読み、撮影に使用されたデジタルカメラの機種名、デジタルカメラ内で実行された画像処理の内容を取得する（ステップ１１２）。
【００５０】
パソコン９０は、送受信手段６５を介してインターネット回線６０に自動接続し、デジタルカメラの画像処理特性情報を公開しているウエブページにアクセスして、画像処理特性情報のうち該当する機種の該当する画像処理内容に対応する評価値を取得する（ステップ１１４）。
【００５１】
パソコン９０は、取得した評価値を基に元画像データに対し画像補正処理を行う（ステップ１１６）。ここで行われる画像補正処理は、例えばシャープネス処理において「＋５」（標準）で出力しようとする場合、デジタルカメラ内の画像処理のレベルも「＋５」であれば、通常は補正なしで出力される。すなわち、画像付属情報に書かれたシャープネスが”２”（標準）であり、その”２”のデジタルカメラ内の設定が「＋５」であって、取得した対応する”２”（標準）の評価値が「＋５」である場合は、パソコン９０内でシャープネス補正処理はしない。
【００５２】
ここで、デジタルカメラメーカーがシャープネスをやや強調したいと考えた場合、ウエブ配信する画像処理特性情報のうちのシャープネスの”２”（標準）の評価値を「＋４」にする。この結果、パソコン９０内の画像補正は、「＋５」の出力を得るために自動的に「＋１」分のシャープネス強調処理を行う。これにより、シャープネスのやや強調された画像が得られる。
【００５３】
パソコン９０で画像補正処理された画像データは、プリンタ２０に送信され、プリンタ２０で印刷を行う（ステップ１１８）。
【００５４】
上述の実施の形態により、カメラメーカーが画像をシャープネス強調したい場合は、ウエブ配信する評価値を変更することで対応できるので、ユーザに煩雑な補正処理をさせることなく、かつユーザに意識させることなく、画像処理のレベルを実効的なものに変更させることができる。
【００５５】
上述の形態では、画像処理特性情報をウエブ配信する例を示したが、この方法に限らず、画像処理特性情報の必要な評価値がユーザ側に渡ればよい。したがって、画像処理特性情報をＣＤ−ＲＯＭなどの記録媒体に格納させてその記録媒体を配布させてもよい。
【００５６】
また、上述の形態では、パソコン９０がウエブページに自動アクセスして画像補正処理する例を説明したが、プリンタ２０がウエブアクセスできる構成を備え、ウエブアクセスしてかつ画像補正処理する構成にしてもよい。このようにすれば、パソコン９０は不要になり、デジタルカメラから直接プリンタ２０が画像データを取得することもできる。プリンタ２０にメモリカード１８のカードインターフェースを設ければ、プリンタ２０にメモリカード１８を挿入することによりデジタルカメラから画像データを簡易に直接取得できる。
【００５７】
また、上述の例では、画像ファイル中の画像付属情報に記録する内容をデジタルカメラ内で実行された画像処理の内容としたが、画像付属情報に記録する情報としては、その評価値を公開しているウエブページへのポインタとすることもできる。この場合、強、標準、弱の各モード毎に異なるＵＲＬを記述する。このようにすれば、ウエブページごとに異なる画像処理特性情報リストがでている場合に、適用するものを特定できて便利である。
【００５８】
【発明の効果】
本発明のコンピュータプログラム及び画像再生装置によれば、ユーザやメーカーにとって容易に撮影画像の画像処理レベルを実効的に変更することができる。
【図面の簡単な説明】
【図１】デジタルカメラ、パソコン、プリンタ、サーバの接続状態を示した図。
【図２】デジタルカメラの構成を示したブロック図。
【図３】パソコンの構成を示したブロック図。
【図４】プリンタの構成を示したブロック図。
【図５】画像ファイルの記録フォーマットを示した図。
【図６】画像処理に関する特性情報の評価結果表を示した図。
【図７】ウエブサーバから画像補正リストが配信され、その画像補正リストの該当評価値に基づいて画像補正処理をし、画像補正処理した画像をプリンタで印刷する流れを示したフローチャート。
【符号の説明】
２…デジタルカメラ、６…画像処理部、８…撮影モード設定部、１２…ＣＰＵ、１４…メモリバッファ、１７…ＵＳＢコントロール、１８…メモリカード、１９…ＵＳＢジャック、２０…プリンタ、２２…プリンタケーブルインターフェース、２４…ＣＰＵ、２６…メモリバッファ、２８…再生部、３０…画像判定部、３２…濃度処理部、３４…エッジ強調処理部、３６…ホワイトバランス補正処理部、３８…プリントエンジン、５７…送受信手段、５９…通信コネクタ、６０…インターネット回線、６５…送受信手段、８０…ＣＰＵ、８１…メモリ、８６…ハードディスク、９０…パソコン、１００…ウエブサーバ
【図１】
2004120541.tif 000003
【図２】
2004120541.tif 000004
【図３】
2004120541.tif 000005
【図４】
2004120541.tif 000006
【図５】
2004120541.tif 000007
【図６】
2004120541.tif 000008
【図７】
2004120541.tif 000009